(57)【特許請求の範囲】
【請求項１】
複数の排水用の開孔を有する底面と、この底面の周縁部全周から上方へと立設される周壁と、この周壁の上端全周に形成され複数の排水用の開孔を有する上縁部とを備え、上記周壁の全面に開孔が形成されておらず、上記周壁を止水領域とし、浴室の排水口に設置されるヘアキャッチャー。
【請求項２】
請求項１において、上縁部の外周部より内側に整流板がその水平方向の曲線長さを外周部に沿って外周長さの１／８〜１／２として立設されているヘアキャッチャー。
【請求項３】
上記底面の形状が円形状、略円形状、楕円状、多角形状、略多角形状のいずれかであり、上記上縁部の全周に開孔が形成され、上記整流板は上記上縁部の開孔と上記上縁部の外周部との間に立設され、上記周壁の高さが１０ｍｍ以上、上記整流板の高さが１０〜５０ｍｍである請求項２に記載のヘアキャッチャー。
【請求項４】
上記整流板を浴槽側に配置して洗い場の排水升に請求項２または請求項３に記載されるヘアキャッチャーを備えた浴室ユニット。
【発明の詳細な説明】
【技術分野】
【０００１】
本発明は、浴室の排水口等に設置され、毛髪等の異物流出を防止するヘアキャッチャー、及び、このヘアキャッチャーを備えた浴室ユニットに関する。
【背景技術】
【０００２】
従来、浴室の洗い場から流れ出る毛髪等の異物は、洗い場の一画に設置される目皿の下方に設けられたヘアキャッチャーにより捕集されている。このヘアキャッチャーの一例としては、図３に示すようなものが提案されている（特許文献１参照）。
このヘアキャッチャー４は、平面視が円形状をなし、円周部付近を頂点として下傾し該円周部中央下方付近で交わる複数の平面状の斜面と、前記円周部から逆円錐台状に下傾し前記複数の平面状の斜面の外縁と交わる逆円錐台曲面からなる斜面とからなり、それぞれの斜面に多数の排水用孔が形成されている。このような形状にすることで毛髪等のゴミを凹部の中央付近に良好に集めることができるとしている。
【特許文献１】特開２００７−１８２７１１号公報
【発明の開示】
【発明が解決しようとする課題】
【０００３】
しかしながら、特許文献１に示されるようなヘアキャッチャーは、流入した毛髪が斜面の孔に横方向（床面と平行の向き）に突き抜けた場合、ヘアキャッチャーを引っ繰り返しても毛髪が真下に落ちにくくなってしまう。場合によっては、手で毛髪を引っ張り出さないと毛髪の除去が出来なくなるので、清掃に手間がかかるという課題があった。
【０００４】
本発明は、上記課題を鑑みてなされたものであり、毛髪がヘアキャッチャーの孔に絡まりにくく、また絡まっても簡単に除去することができるヘアキャッチャー及びこのヘアキャッチャーを備える浴室ユニットを提供することを目的とする。
【課題を解決するための手段】
【０００５】
上記課題を達成するため、本発明では次の構成をとった。
（１）複数の排水用の開孔を有する底面と、この底面の周縁部全周から上方へと立設される周壁と、この周壁の上端全周に形成され複数の排水用の開孔を有する上縁部とを備え、上記周壁の全面に開孔が形成されておらず、上記周壁を止水領域とし、浴室の排水口に設置されるヘアキャッチャー。
（２）項（１）において、上縁部の外周部より内側に整流板がその水平方向の曲線長さを外周部に沿って外周長さの１／８〜１／２として立設されているヘアキャッチャー。
（３）項（１）又は（２）において、上記底面の形状が円形状、略円形状、楕円状、多角形状、略多角形状のいずれかであり、上記上縁部の全周に開孔が形成され、上記整流板は上記上縁部の開孔と上記上縁部の外周部との間に立設され、上記周壁の高さが１０ｍｍ以上、上記整流板の高さが１０〜５０ｍｍである項（２）に記載のヘアキャッチャー。
（４）上記整流板を浴槽側に配置して洗い場の排水升に項（２）または項（３）に記載されるヘアキャッチャーを備えた浴室ユニット。
【発明の効果】
【０００６】
本発明のヘアキャッチャーによれば、ヘアキャッチャーに流入した毛髪が底面の開孔に突き抜けてもヘアキャッチャーを引っ繰り返すだけで簡単に毛髪を除去することができる。
ヘアキャッチャーの上縁部に複数の開孔を設けたので、毛髪等が堆積して底面の開孔が閉塞した場合でも浴室洗い場からの排水を上縁部の複数の開孔により確保することができる。
上縁部に整流板を設けた場合は、毛髪等の絡まりを少なくし、整流板を取っ手としても使用することができ、ヘアキャッチャーの着脱及び清掃作業を容易に行うことができる。  ヘアキャッチャーを浴室ユニットに備えた場合は、浴室ユニットの清掃性を高めることができる。
【発明を実施するための最良の形態】
【０００７】
先ず、図１を参照して、本発明の実施例であるヘアキャッチャーについて説明する。
図１は、ヘアキャッチャーの一実施例であり、（ａ）が斜視図、（ｂ）が平面図、（ｃ）が側面図を示す。ヘアキャッチャー４は、開孔６を有する底面７と、この底面７の周縁部より上方に立設される周壁２０と、周壁２０の上端に上縁部８とを有している。
また、ヘアキャッチャー４の上縁部８には、開孔１５が多数設けてあるとともに、整流板９と、その一画に開口１１が設けてある。
【０００８】
ヘアキャッチャー４の材質は、特に限定されるものではないが、合成樹脂製や金属製のものを用いることができる。この基材に抗菌剤を混入したり、基材表面に抗菌剤をコーティングしたりしてもよい。撥水機能もしくは親水機能を有するコーティングを施すこともできる。
また、ヘアキャッチャーの表面には、微細な凹凸やリブ等を設けて毛髪等とヘアキャッチャー４の表面との接触面積を減らし、毛髪等をヘアキャッチャー４から剥離しやすくすることもできる。
【０００９】
ヘアキャッチャー４は、開孔６を有する底面７が、ヘアキャッチャー４の上縁部８より下方に凹むように形成している。上記以外の形状については、特に限定されるものではないが、平面視で円状であることが好ましい。
【００１０】
ヘアキャッチャー４の底面７の形状は、特に限定されるものではなく、例えば、円形状、略円形状、楕円状、多角形状、略多角形状等にすることができる。また、底面７の開孔６の形状は、毛髪等の固形物を捕捉できるものであれば良く、例えば、円形状、略円形状、楕円状、多角形状、略多角形状の孔を多数貫通形成させたものでもよいし、櫛状、メッシュ状のものを用いることもできる。また、底面７の中心部から放射状に格子を設ける形状にすることもできる。
【００１１】
開孔６の孔径（目幅）は、１〜１２ｍｍが好ましく、更に好ましくは、４〜８ｍｍ程度である。開孔６の孔径（目幅）が上記範囲より小さいと、徐々に固形物等により目詰りしやすくなる。逆に、開孔６の孔径（目幅）が上記範囲より大きいと、徐々に固形物が捕捉されずに通過してしまい、後段の配管等が閉塞するリスクが高まるためである。
【００１２】
また、開孔６は底面７の外周より所定幅（Ｌ）をもたせて内側に設けることが好ましい。この所定幅（Ｌ）の長さは、特に限定されるものではないが、例えば、底面７の直径が６０ｍｍ程度の場合には、２〜１５ｍｍ程度が好ましく、更に好ましくは、５〜１０ｍｍ程度である。所定幅（Ｌ）の長さが、２ｍｍよりも小さいと周壁２０に沿って流入した毛髪がそのまま開孔６を通過しやすくなる。また、所定幅（Ｌ）の長さが１５ｍｍよりも大きいと、逆に底面７の開孔領域が小さくなり過ぎて、底面７からの排水が滞り、閉塞しやすくなるためである。
【００１３】
周壁２０は、底面７から上縁部８に向かって立設されている。周壁２０の形状は特に限定されるものではないが、上方に向かって外周方向に広がる形状であることが好ましい。
この底面７から外側に向かって拡がる周壁２０の角度（θ）は、概ね９０〜１４０°程度が好ましく、更に好ましくは１００〜１２０°程度である。この角度（θ）が、９０°より小さくなるとヘアキャッチャーを引っ繰り返した時に、ヘアキャッチャーから毛髪を除去しにくくなるし、ヘアキャッチャー自体の製造性も悪くなる。また、角度（θ）が１４０°よりも大きくなると周壁２０に毛髪等の異物が滞留しやすくなり、毛髪等がまとまりにくくなる。
【００１４】
また、周壁２０と底面７との接続部、及び周壁２０と上縁部８との接続部は、丸みを有して接続されていることが好ましい。このようにすると、ヘアキャッチャー４に排水が流入したときに、排水中の毛髪等がスムーズにヘアキャッチャー４の底面７付近に集まって纏まりやすくなる。また、接続部に汚れが付着した場合の清掃も容易になる。
【００１５】
周壁２０の高さ（Ｈ）は、特に限定されるものではないが、概ね１０ｍｍ以上が好ましく、更に好ましくは概ね２０ｍｍ以上である。周壁２０の高さ（Ｈ）を概ね１０ｍｍ以上にすることで、この窪んだ部分（底面７から上縁部８までの内側の空間部）に毛髪を溜めることができるので、ヘアキャッチャー４の清掃頻度を低減することができる。
【００１６】
周壁２０は、止水領域として使用されるものであり、壁面に開孔を設けない。これは、壁面に開孔を設けた場合、毛髪の一部が水平方向に開孔から飛び出すことを阻止するためのもので、ヘアキャッチャーを逆さにして清掃しようとしても、毛髪が落下しにくくなることを避けている。
【００１７】
図１では、ヘアキャッチャー４の上縁部８に開孔１５と整流板９とを設けている。また、この整流板９の上方の一画には、ヘアキャッチャー４を着脱しやすくするために開口１１を設けている。
【００１８】
開孔１５の形状は、毛髪等の固形物を捕捉できるものであれば良く、例えば、円形状、略円形状、楕円状、多角形状、略多角形状の孔を多数貫通形成させたものでもよいし、櫛状、メッシュ状のものを用いることもできる。また、ヘアキャッチャー４の中心から放射状に格子を設ける形状にすることもできる。
開孔１５の孔径（目幅）は、１〜１２ｍｍが好ましく、更に好ましくは、４〜８ｍｍ程度である。この範囲の理由については上記した通りである。なお、この開孔１５は、必ずしも設ける必要はない。
【００１９】
整流板９の正面から見た形状は特に限定されるものではなく、略半円状、略三角形状、略四角形状等、種々の形状を用いることができる。
整流板９の設置位置は、上縁部８の外周よりも少し内側に設けることが好ましい。このようにすると、ヘアキャッチャー４を浴室ユニットに設置した際に、整流板９の外側（背面）と、ヘアキャッチャーを設置する部分のフランジ２１（図２参照）との隙間に毛髪が挟まりにくくなる。
また、本実施例では、整流板９をヘアキャッチャー４の円周曲面に沿うように設けているが、整流板９の一部を偏心させたり、凹凸部を設けたり、整流板９の端部を内側に折り曲げるような形状にしても良い。
【００２０】
整流板９の水平方向長さは、ヘアキャッチャー４の外周長さの約１／８〜１／２程度、更に好ましくは、約１／４〜１／３程度が好ましい。整流板９の長さがヘアキャッチャー４の周長さの約１／８よりも短くなると、毛髪が流入した際に、整流板９に絡みやすくなる。また、整流板９の長さがヘアキャッチャー４の周長さの約１／２よりも長くなると、洗い場３１排水がヘアキャッチャー４に流入する箇所が制限されてしまうのであまり好ましくない。
整流板９の高さは、特に限定されることはないが、概ね１０〜５０ｍｍ、更に好ましくは概ね２０〜４０ｍｍ程度であることが好ましく、その高さは目皿１３（図２参照）の位置よりも低い高さであることが好ましい。
また、整流板９と上縁部８とが接続するコーナー部には丸み形状を設けることが好ましい。この場所に丸み形状を設けると、整流板９の下部付近の流れがスムーズになりやすくなり、洗い場３１から流れてくる毛髪が整流板９に絡みにくくなる。また、このコーナー部分の清掃作業も容易になる。
【００２１】
整流板９の一画には、開口１１を設けている。開口１１の形状は特に限定されることなく、円状、略円状、楕円状、多角形状、略多角形状等、種々の形状を用いることができる。
また、開口１１の大きさは、人の指が入る程度の大きさ以上であることが好ましい。開口１１の位置は、特に限定されるものではないが、手で持つ部分なので、最大限毛髪等が付着しにくい整流板９の上方に設けることが好ましい。
また、整流板９の一画には、開口１１の代わりに取っ手を設けることもできる（図示省略）。この取っ手は、整流板９の上部から、上方に延設するように設けても良いし、ヘアキャッチャー４の外側に向かって突設させてもよい。また、ヘアキャッチャーの内側に向かって突設したり、ヘアキャッチャー４の円周方向に向かって突設させることもできる。
取っ手の位置は特に限定されることはなく、整流板９の中央付近に設けてもよいし、整流板９の端部に設けてもよい。また、整流板９の内側に整流板９の高さよりも高くなるように立設してもよい。
また、場合によっては開口１１や取っ手を省略したり、整流板９自体を省略することもできる。
【００２２】
図２は、本発明の浴室ユニットの一実施例を示す概略断面図である。ヘアキャッチャー４は、浴室ユニットの洗い場３１の一画に設けてある目皿１３の下方の排水枡５に設置している。設置する際のヘアキャッチャー４の向きは、特に限定されるものではないが、ヘアキャッチャー４の整流板９を浴槽３０側になるように配置させると、毛髪などが絡みにくく好ましい。
【図面の簡単な説明】
【００２３】
【図１】本発明の１実施例であるヘアキャッチャーの概略図であり、（ａ）が斜視図、（ｂ）が平面図を示し、（ｃ）が側面図を示す。
【図２】本発明の１実施例である浴室ユニットの概略断面図である。
【図３】従来例のヘアキャッチャーの一例を示す概略斜視面である。
【符号の説明】
【００２４】
１…排水トラップ、４…ヘアキャッチャー、５…排水枡、６…開孔、７…底面、８…上縁部、９…整流板、１０…取っ手、１１…開口、１３…目皿、１５…開孔、２０…周壁、２１…フランジ、３０…浴槽、３１…洗い場、Ｌ…所定幅、Ｈ…壁部領域の高さ、θ…底面と周壁との角度。
【図１】
0005520447.tif 000002
【図２】
0005520447.tif 000003
【図３】
0005520447.tif 000004